(57)【要約】  【課題】  発光面積を大きくする場合でも、軽量化を図ることができるコスト安価な発光装置及びこれを用いた液晶表示装置を提供する。  【解決手段】  発光面構成部材４の後方に配置されるとともに、その発光面構成部材４側へのランプ（光源）Ｌの光の通過を許容する前方開口部３ａを備えた枠体３と、ランプＬの後方に配置され、このランプＬの光を発光面構成部材４側に反射する反射シート５とを設ける。そして、枠体３の後方開口部３ｂを塞ぐように反射シート５を取り付けることにより、当該反射シート５を枠体３で支持させる。【選択図】      図２
2005347005.tif 000002
【特許請求の範囲】
【請求項１】
光源と、この光源の前方に配置され、発光面を構成する発光面構成部材とを備えた発光装置であって、
前記光源の後方に配置され、前記発光面構成部材側に前記光源の光を反射する反射シートと、
前記発光面構成部材の後方に配置されるとともに、その発光面構成部材側への前記光源の光の通過を許容する前方開口部と、後方開口部とが設けられた枠体とを備え、
前記反射シートが、前記後方開口部を塞ぐように前記枠体に取り付けられることを特徴とする発光装置。
【請求項２】
前記反射シートが、フラットに構成されて、前記光源が前方に配置される前面と、その前面の少なくとも対向する二辺を９０度未満の立ち上げ角度にて各々前方に折り曲げることによって形成された傾斜側面とを有するとともに、
前記反射シートは、その傾斜側面が前記枠体に固定されることにより、当該枠体に取り付けられることを特徴とする請求項１記載の発光装置。
【請求項３】
前記枠体には、前記反射シートの少なくとも後面と当接して支持する支持部が設けられていることを特徴とする請求項１または２記載の発光装置。
【請求項４】
前記枠体には、その前方開口部を囲む前面に前記発光面構成部材に形成された孔に挿通される凸部が設けられていることを特徴とする請求項１〜３のいずれか記載の発光装置。
【請求項５】
前記光源は、線状光源により構成されるとともに、
前記枠体には、前記線状光源の両端部を支持する光源支持部が設けられていることを特徴とする請求項１〜４のいずれか記載の発光装置。
【請求項６】
前記発光面構成部材には、面状の光学シートが含まれるとともに、
前記発光面構成部材の前方に配置され、前記発光面から外部への光の通過を許容する開口部が設けられたフロントフレームを備え、
前記光学シートは、その一辺側が前記フロントフレームの内側に固定されることを特徴とする請求項１〜５のいずれか記載の発光装置。
【請求項７】
前記枠体が一体構造であることを特徴とする請求項１〜６のいずれか記載の発光装置。
【請求項８】
液晶パネルと、この液晶パネルに光を照射するバックライトとを備えた液晶表示装置であって、
前記バックライトとして、請求項１〜７のいずれか記載の発光装置を用いたことを特徴とする液晶表示装置。
【発明の詳細な説明】
【技術分野】
【０００１】
本発明は、発光装置及びこれを用いた液晶表示装置に関する。
【背景技術】
【０００２】
液晶表示装置のバックライトには、例えば液晶パネルの後方に配置した線状光源の光を当該パネルの背後から照射する、直下型の発光装置が使用されている。このような直下型バックライトでは、液晶パネルが載置されるフロントフレームと、このフロントフレームに分離可能に構成されるとともに、一端部側が開口した有底状のリアフレームとからなる筐体の内部に上記線状光源を設置していた。また、リアフレームの前面には、例えば下記特許文献１に記載されているように、線状光源の光をパネル側に反射する反射シートが取り付けられており、この反射シートを用いることで当該光源光の利用効率を高めていた。
【０００３】
【特許文献１】特開２００２−２５８７７０号公報（第４〜６頁、図１）
【発明の開示】
【発明が解決しようとする課題】
【０００４】
しかしながら、上記のような従来装置では、リアフレームの前面に反射シートを取り付け、このリアフレームによって当該シートを支持させていたので、リアフレーム、ひいては発光装置の軽量化を行い難いという問題点があった。特に、液晶パネルの大画面化に対応すべく、発光装置の発光面積を大きくする場合には、リアフレームの前面面積もそれに比例して大きくする必要があり、リアフレーム及び発光装置の重量がその発光面積に応じて増加するのを抑えられなかった。また、このようなリアフレームでの重量増加は、当該リアフレームの材料費をアップさせるだけでなく、上記フロントフレームなどの発光装置の他の部材の構造強化を大幅に行うことが要求され、そのコストアップを招くことがあった。
【０００５】
上記のような従来の問題点に鑑み、本発明は、発光面積を大きくする場合でも、軽量化を図ることができるコスト安価な発光装置及びこれを用いた液晶表示装置を提供することを目的とする。
【課題を解決するための手段】
【０００６】
本発明の発光装置は、光源と、この光源の前方に配置され、発光面を構成する発光面構成部材とを備えた発光装置であって、
前記光源の後方に配置され、前記発光面構成部材側に前記光源の光を反射する反射シートと、前記発光面構成部材の後方に配置されるとともに、その発光面構成部材側への前記光源の光の通過を許容する前方開口部と、後方開口部とが設けられた枠体とを備え、
前記反射シートが、前記後方開口部を塞ぐように前記枠体に取り付けられることを特徴とするものである。
【０００７】
上記のように構成された発光装置では、上記前方開口部及び後方開口部を有する枠体を使用するとともに、反射シートがこの枠体の後方開口部を塞ぐように当該枠体に取り付けられる。これにより、前面を有するリアフレームを用いた上記従来例に比べて、発光面積を大きくする場合でも、反射シートが取り付け支持される上記枠体での重量増加を抑えることができる。また、枠体での重量増加を抑えることができるので、従来例に比べ材料費がアップするのも抑制することが可能となる。
【０００８】
また、上記発光装置において、前記反射シートが、フラットに構成されて、前記光源が前方に配置される前面と、その前面の少なくとも対向する二辺を９０度未満の立ち上げ角度にて各々前方に折り曲げることによって形成された傾斜側面とを有するとともに、
前記反射シートは、その傾斜側面が前記枠体に固定されることにより、当該枠体に取り付けられることが好ましい。
この場合、上記傾斜側面の前面に対する角度が変化可能な状態で、かつ当該前面が枠体に対し離間された状態で、反射シートは当該枠体に取り付けられることとなり、上記光源からの熱や吸水などによって反射シートに変形が発生したときでも、上記角度がその変形に応じて変化することで前面をフラットな状態で維持しつつ、当該変形を吸収することができる。従って、上記変形に起因する機能低下が反射シートに生じるのを防止することができる。
【０００９】
また、上記発光装置において、前記枠体には、前記反射シートの少なくとも後面と当接して支持する支持部が設けられてもよい。
この場合、反射シートがその自重によって垂れ下がるのを上記支持部にて防止されつつ、枠体に取り付けられることとなり、当該シートの垂れ下がりに起因する反射機能低下を防ぐことができる。
【００１０】
また、上記発光装置において、前記枠体には、その前方開口部を囲む前面に前記発光面構成部材に形成された孔に挿通される凸部が設けられることが好ましい。
この場合、枠体はその前面に置かれた発光面構成部材を移動可能な状態で支持することができ、当該発光面構成部材に熱や吸水等による変形が生じたときでも、その変形を孔にて吸収することが可能となって、この変形に起因する発光品位の低下などが生じるのを防ぐことができる。
【００１１】
また、上記発光装置において、前記光源は、線状光源により構成されるとともに、
前記枠体には、前記線状光源の両端部を支持する光源支持部が設けられていることが好ましい。
この場合、上記線状光源が枠体に設けられた光源支持部にて支持されるので、発光装置内で当該線状光源を支持する支持部材の設置を省略することができ、発光装置の部品点数を削減することができる。
【００１２】
また、上記発光装置において、前記発光面構成部材には、面状の光学シートが含まれるとともに、
前記発光面構成部材の前方に配置され、前記発光面から外部への光の通過を許容する開口部が設けられたフロントフレームを備え、
前記光学シートは、その一辺側が前記フロントフレームの内側に固定されることが好ましい。
この場合、光学シートに熱や吸水等による変形が生じたときでも、当該光学シートでは上記フロントフレーム内側に固定された一辺側以外の部分がその変形を吸収するように動くことが可能となり、この変形に起因して当該光学シートの機能が低下するのを防止することができる。
【００１３】
また、上記発光装置において、前記枠体が一体構造であってもよい。
この場合、高剛性で優れた強度を有する枠体を容易に構成することができる。
【００１４】
また、本発明の液晶表示装置は、液晶パネルと、この液晶パネルに光を照射するバックライトとを備えた液晶表示装置であって、
前記バックライトとして、上記いずれかの発光装置を用いたことを特徴としており、大型の液晶パネルを使用するときでも、軽量で低コスト化された液晶表示装置を容易に構成することができる。
【発明の効果】
【００１５】
本発明によれば、発光面積を大きくする場合でも、上記枠体の重量増加及びコストアップを抑えることができるので、発光装置の軽量化を容易に図ることができ、コスト安価な発光装置及び液晶表示装置を構成することができる。
【発明を実施するための最良の形態】
【００１６】
以下、本発明の発光装置を示す好ましい実施形態について、図面を参照しながら説明する。尚、以下の説明では、液晶表示装置のバックライトに適用した場合を例示して説明する。
図１は本発明の一実施形態に係る発光装置の要部構成例を示す平面図であり、図２及び図３はそれぞれ図１のII−II線拡大断面図及びIII−III線拡大断面図である。図において、本実施形態の発光装置１は、フロントフレーム２と、このフロントフレーム２内に配置された枠体３と、この枠体３に支持された光源としての複数（例えば、８本）のランプＬとを具備している。また、この発光装置１には、ランプＬの前方に配置され、発光面を構成する発光面構成部材４と、ランプＬの後方に配置されて、当該ランプＬの光を発光面構成部材４側に反射する反射シート５とが設けられている。また、発光装置１では、上記液晶表示装置の液晶パネルＥＰがフロントフレーム２上に載置されるようになっており、この発光装置１は、パネルＥＰの背後にランプＬが配置された、いわゆる直下型バックライトである。尚、以下の説明では、矩形状の液晶パネルＥＰの横方向（図１の左右方向）を長辺方向とし、同パネルＥＰの縦方向（同図の上下方向）を短辺方向として説明する。
【００１７】
上記フロントフレーム２は、樹脂または金属を用いて例えば一体的に構成されたものであり、発光面構成部材４の前方に配置されて液晶パネルＥＰを支持しつつ、当該液晶パネルＥＰへの光源光の照射を許容するように構成されている。すなわち、フロントフレーム２は、枠状に設けられた前面２ａと、この前面２ａの外側端部に対し直角に設けられた側面２ｂ（図２）とを有する断面Ｌ字状に形成されており、前面２ａに上記パネルＥＰの四辺周縁端部が載置された状態でこのパネルＥＰを支持するようになっている。
また、フロントフレーム２では、前面２ａの内側で当該前面２ａによって囲まれた開口部２ｃ（図２）が形成されている。この開口部２ｃは、上記パネルＥＰの有効画面領域に応じて形成されたものであり、上記発光面からパネルＥＰ（外部）への光源光の通過を許容するよう構成されている。そして、上記液晶表示装置では、発光面構成部材４及び開口部２ｃを順次通過した光源光がパネルＥＰに入射されることで所望の画像がパネル前面に形成されるようになっている。
【００１８】
上記枠体３は、樹脂または金属にて一体的に構成されたものであり、発光面構成部材４の後方に配置されている。また、この枠体３は、図４も参照して、発光面構成部材４側へのランプＬの光の通過を許容する前方開口部３ａと、反射シート５にて塞がれる後方開口部３ｂとを有している。また、枠体３は、フロントフレーム２及びこれに載置された液晶パネルＥＰを支持可能に構成されたものであり、しかもこの枠体３には、ランプＬ、発光面構成部材４、及び反射シート５を支持する支持機能が付与されている。
また、枠体３では、例えば図２に示すように、その前方開口部３ａ及び後方開口部３ｂを塞ぐように発光面構成部材４及び反射シート５がそれぞれ取り付けられており、当該枠体３の内部に配置された上記ランプＬの光を前方開口部３ａ側に集めてこの光源光の利用効率を高めた状態で、発光面構成部材４を介して液晶パネルＥＰ側に出光させるようになっている。すなわち、枠体３では、発光面構成部材４及び反射シート５が取り付けられたときに、当該枠体３は上記光源光がパネルＥＰ以外に出光されるのを極力防止できるように構成されている。
【００１９】
具体的にいえば、枠体３は、好ましくはポリカーボネート、塩化ビニール、アクリル、ＡＢＳ等の熱、光、衝撃に対して安定性を有する合成樹脂、またはアルミニウム、ステンレス、鋼板、マグネシウム合金等の金属によって形成されている。
また、枠体３は、上記フロントフレーム２内で上記長辺方向及び短辺方向にそれぞれ配置される二つの長辺枠部３１及び短辺枠部３２を有しており、一方及び他方の長辺枠部３１の一端部側に一方の短辺枠部３２の一端部側及び他端部側がそれぞれ連続的に設けられ、かつ一方及び他方の長辺枠部３１の他端部側に他方の短辺枠部３２の一端部側及び他端部側がそれぞれ連続的に設けられた四辺一体構造の枠状に構成されている。
【００２０】
上記長辺枠部３１は、図２に示すように、互いに平行に形成された前面３１ａ及び後面３１ｂと、これらの前面３１ａ及び後面３１ｂに直交するとともに、互いに平行に形成された外側側面３１ｃ及び内側側面３１ｄとを有する断面矩形状に構成されている。また、この長辺枠部３１の内側側面３１ｄには、両面テープ８によって反射シート５が固定されており、枠体３が反射シート５の支持部材として働くようになっている（詳細は後述）。
一方、上記短辺枠部３２は、図３に示すように、互いに平行に形成された前面３２ａ及び後面３２ｂと、これら前面３２ａ及び後面３２ｂに直交するように設けられた外側側面３２ｃと、前面３２ａ及び後面３２ｂに対し傾斜するように形成され、外側側面３２ｃと非平行な内側側面３２ｄとを有する断面くさび状に構成されている。また、短辺枠部３２には、外側側面３２ｃと内側側面３２ｄとを貫通するように形成された光源支持部としてのランプ取付孔３２ｅが設けられており、各ランプＬの両端部が当該取付孔３２ｅに嵌入されることで、枠体３はランプＬ毎に保持できるようになっている。また、内側側面３２ｄには、短辺方向に平行な溝部３２ｆが設けられており、反射シート５の後述の前面縁部が挿入されて当該溝部３２ｆが反射シート５の支持部として機能するようになっている。
【００２１】
また、枠体３では、長辺枠部３１及び短辺枠部３２の前面３１ａ、３２ａの内側でこれらの前面３１ａ、３２ａによって囲まれた上記前方開口部３ａが形成され、長辺枠部３１及び短辺枠部３２の後面３１ｂ、３２ｂの内側でこれらの後面３１ｂ、３２ｂによって囲まれた上記後方開口部３ｂが形成されている。
また、前面３１ａ、３２ａは、発光面構成部材４の四辺周縁端部に直接的に接してこれを支持する面であり、図４に例示するように、二つの凸部６ａ、６ｂが前面３１ａ、３２ａにそれぞれ設けられている。これらの凸部６ａ、６ｂは、発光面構成部材４側に形成された後述の孔に挿通されるようになっており、枠体３は当該構成部材４を移動可能な状態で支持するよう構成されている。
【００２２】
上記発光面構成部材４は、複数の面状の光学シート、例えばレンズシート４１及び拡散シート４２によって構成されており、レンズシート４１が上記発光面から出光される面状の光源光の輝度を高めるとともに、拡散シート４２がその面状光での輝度をほぼ均一なものとして発光装置１の発光品位を整えるようになっている。また、これらのレンズシート４１及び拡散シート４２では、長辺方向の周縁端部に、凸部６ａが挿通される孔４１ａ、４２ａが設けられ、短辺方向の周縁端部に、凸部６ｂが挿通される孔４１ｂ、４２ｂが設けられている。これらの各孔４１ａ〜４２ｂの開口寸法は、対応するシート材での熱や吸水などによる収縮（変形）等を考慮して、図に例示するように長孔状に決定されている。
【００２３】
また、発光面構成部材４では、レンズシート４１及び拡散シート４２は枠体３に対して固定されておらず、レンズシート４１の一辺側のみが両面テープ７によってフロントフレーム２に固定されている。すなわち、発光面構成部材４では、拡散シート４２及びレンズシート４１がその孔４１ａ〜４２ｂに対応する凸部６ａ、６ｂが引っかけられた状態で、枠体３上にこの順番で載せられることで当該枠体３に取り付けられている。また、レンズシート４１では、図５に斜線部にて示すように、その前面４１ｃの左短辺側の縁部に上記両面テープ７が貼り付けられており、この両面テープ７を介してレンズシート４１はフロントフレーム２の内側に固着されている。
以上の構成により、レンズシート４１では、上記変形が生じたときに、フロントフレーム２の内側に固着された左短辺側以外の残りの三辺側がフロントフレーム２に対して拡散シート４２上を動くことでその変形が吸収され、また枠体３に対して孔４１ａ、４１ｂにて当該変形が吸収される。また、拡散シート４２は、枠体３とレンズシート４１との間で動くことが許容されており、その孔４２ａ、４２ｂにて生じた変形が吸収される。従って、レンズシート４１及び拡散シート４２に上記変形による撓みが発生するのを防ぐことができ、これら各シート４１、４２での機能低下が生じるのを防止することができる。
【００２４】
尚、上記の説明以外に、偏光シート等の他の機能や同一機能を有する複数の光学シートを発光面構成部材４に含めた構成でもよい。また、上記拡散シート４２に代えて、アクリル樹脂やポリカーボネート樹脂等の合成樹脂あるいは曇りガラスなどからなる拡散板を発光面構成部材４に含めた構成でもよい。但し、拡散板は、拡散シート４２に比べて厚みが大きく、また重量も大きいことから、拡散シート４２を使用する場合の方が、発光装置１の軽量化の点で好ましい。
また、上記の説明では、レンズシート４１の一辺側を両面テープ７を用いてフロントフレーム２に固定した場合について説明したが、発光面構成部材４の固定方法はこれに限定されるものではなく、上記液晶パネルが例えば１５インチ以下と小さく（ランプＬ等の発熱量が少なく）て、発光装置１の使用環境等から発光面構成部材４の変形量が充分小さいと予想される場合には、当該構成部材４の四辺全てをフロントフレーム２及び／または枠体３に固定することもできる。また、発光面構成部材４の二辺を固定する場合には、互いに垂直な二辺側（例えば、上記左短辺側と上長辺側）を固定することが好ましい。さらに、上記のように、シートの一辺側を固定する場合では、図５に示したように、長辺側に比べて変形量が少ない短辺側を固定することが好ましい。但し、大画面の液晶パネルＥＰ用の重量が比較的重い発光面構成部材４を使用する場合などでは、重力の反作用側である当該パネルＥＰの天辺側（上長辺側）だけを固定する構成でもよい。
【００２５】
上記反射シート５は、フラットに構成された前面５ａを備えており、この前面５ａ上方に各ランプＬが配置されている。また、この反射シート５では、図２に示すように、長辺方向側においてのみ、前面５ａに対して傾斜するように連続的に形成された傾斜側面５ｂと、この傾斜側面５ｂに連続する折り返し側面５ｃとが設けられている。すなわち、この反射シート５では、前面５ａに対して上広がりとなるように、当該前面５ａの四辺のうち対向する二つの長辺を各々９０度未満の立ち上げ角度にて上方に折り曲げることにて上記傾斜側面５ｂが形成され、さらに各傾斜側面５ｂの上方部分を下方に折り返すことにより、例えば前面５ａに垂直な上記折り返し側面５ｃが形成されている。そして、反射シート５では、その折り返し側面５ｃが上記両面テープ８によって枠体３の内側側面３１ｄに固着されると、同図に示すように、前面５ａ及び傾斜側面５ｂが上記後方開口部３ｂを塞ぐように、枠体３に対して宙吊り状態で取り付けられ、前面５ａは枠体３の長辺枠部３１に対し離間される。また、前面５ａと傾斜側面５ｂとの折り曲げ付近は固定されないフリーな状態であることから、この反射シート５では、傾斜側面５ｂの前面５ａに対する角度が変化可能な状態で枠体３に支持されている。
【００２６】
一方、反射シート５の短辺方向側では、図３に示すように、前面５ａは折り曲げられずにその縁部が枠体３の上記溝部３２ｆ内に挿入されており、この縁部が溝部３２ｆの内面と当接することによって垂れ下がりや浮き上がりが反射シート５に発生するのを防止するようになっている。つまり、この反射シート５の短辺方向側の前面縁部は、その後面及び前面が溝部３２ｆの前側内面及び後側内面に当接し支持されることにより、反射シート５では、上記両面テープ８にて長辺方向側が長辺枠部３１に固着されている点とも相まって、自重による前面５ａの垂れ下がり及び浮き上がりの発生が防がれ、これらの発生に起因して光反射機能が低下するのを防止できるように構成されている。尚、このように、反射シート用支持部として、上記前面縁部の前面及び後面をガイドし支持する溝部３２ｆを設けることが好ましいが、その後面のみをガイドする支持部により、反射シート５の垂れ下がりを防止する構成でもよい。
【００２７】
また、反射シート５には、好ましくは光透過率が低いシート材が選択されており、ランプＬの光が当該反射シート５を通過して発光装置１の背後側（液晶パネルＥＰとは反対側）に極力漏れ出ないようになっている。すなわち、反射シート５では、上記背後側への漏れ光を極力少なくして、この漏れ光に起因して上記発光面から出光される面状光の輝度低下が生じるのを防止できるように構成されている。
尚、上記の説明以外に、光透過率が比較的高い反射シートを使用することも可能ではあるが、この場合には当該シートの反射面の裏面側を黒色に着色したり、アルミ蒸着膜を設けたりして、漏れ光を吸収することが好ましい。
【００２８】
上記ランプＬは、例えば冷陰極管からなる直管状の線状光源であり、図２に例示するように、隣り合う二本のランプＬがランプスペーサ１２にて所定のピッチ寸法が維持された状態で枠体３の内部に配置されている。
また、各ランプＬでは、図３に示すように、その両端部に設けられた電極にゴムホルダ１１が装着されている。この電極には、短辺枠部３２の後面３２ｂに取り付けられた取付板９に固定されたインバータ１０が接続されており、各ランプＬはこのインバータ１０によって点灯駆動されるようになっている。そして、各ランプＬでは、ゴムホルダ１１が枠体３の上記ランプ取付孔（光源支持部）３２ｅに嵌入されることにより、枠体３にて保持される。また、このように、枠体３に設けた光源支持部により、各ランプＬを保持しているので、ランプＬを支持する、専用のランプ支持部材を省略し、発光装置１の部品点数を少なくしてコストダウンを図ることができる。
尚、上記の説明以外に、反射シート５の裏側やフロントフレーム２との間で外側側面３２ｃにインバータ１０を取り付けることもできる。
【００２９】
上記ランプスペーサ１２は、反射シート５の前面５ａに取り付けられた板状の基部１２ａと、この基部１２ａ上で上記短辺方向に並べられた二つの略Ｕ字状の保持部１２ｂとを備えており、保持部１２ｂに嵌入されたランプＬを保持している。また、ランプスペーサ１２は、樹脂またはゴム、好ましくは光、熱、及び紫外線に対して形状安定性を有し、かつランプＬからのリーク電流の影響を受けないものにより構成されている。また、ランプスペーサ１２には、反射シート５と同程度の反射率を有する白色もしくは異常発光しない無色の材料が選択されている。また、保持部１２ｂは、ランプＬからの光放射を極力阻害しないよう形成されており、特に白色材料にて形成されている場合には、図２に示したように、ランプＬの発光面側を覆うことのない形状に構成されている。
また、ランプスペース１２では、その基部１２ａに支持ピン１３が一体的に設けられており、この支持ピン１３にて発光面構成部材４を支持するようになっている。また、これらランプスペーサ１２及び支持ピン１３は、例えば３インチ四方に各々一つの割合で設置されたものであり、図１に示すように、千鳥状に配列されている。このように、ランプスペーサ１２及び支持ピン１３が一直線上に並べられるのを極力避けることにより、これらのランプスペーサ１２及び支持ピン１３の影が上記発光面に現れるのを大幅に抑えつつ、ランプＬ及び発光面構成部材４を適切に支持できる。しかも、ランプスペーサ１２の基部１２ａが反射シート５の前面５ａに取り付けられているので、この前面５ａの平坦性をより堅固に維持することができる。つまり、ランプスペーサ１２の保持部１２ｂがランプＬの途中部分を支えるとともに、そのランプＬの両端部が枠体３のランプ取付孔３２ｅにて支持されているので、前面５ａはランプＬ、ランプスペーサ１２、及び枠体３によって支えられることとなり、これらランプＬ等により前面５ａの形状安定性が向上され、平坦性がより確実に確保することができる。
尚、上記説明以外に、別個に構成されたランプスペーサと支持ピンとを用いてもよい。
【００３０】
以上のように構成された本実施形態では、枠体３の後方開口部３ｂを塞ぐように反射シート５を取り付けて当該枠体３を反射シート５の支持部材として用いているので、前面を有するリアフレームを反射シートの支持部材として使用していた上記従来例と異なり、発光面の発光面積を大きくする場合でも、枠体３の重量が増加するのを大幅に抑制することができる。また、反射シート５の支持部材（枠体３）の重量増加を大幅に抑制できることから、この枠体３に組み付けられるフロントフレーム２などの他の各構成部材においても、その材質や寸法などを変更して枠体の重量増加に応じて構造強化を行う必要がない。この結果、発光装置１及び液晶表示装置の軽量化を容易に図ることができるとともに、上記枠体３などの構成部材の材料費アップを抑えてコスト安価な発光装置１及び液晶表示装置を構成することができる。
【００３１】
また、本実施形態では、反射シート５の前面５ａが枠体３の長辺枠部３１に対し離間された状態で、かつ当該前面５ａに対する傾斜側面５ｂの角度が変化可能な状態で枠体３に取り付けられているので、ランプＬからの熱や吸水などによって反射シート５に収縮（変形）が発生したときでも、上記角度がその変形に応じて変化することができる。この結果、反射シート５では、前面５ａをフラットな状態で維持しつつ、発生した変形を吸収することができ、当該変形に起因する機能低下が反射シート５に生じるのを防止することができる。
【００３２】
尚、上記の説明では、液晶表示装置のバックライトに適用した場合について説明したが、本発明の発光装置は、光源の後方に配置され、発光面を構成する発光面構成部材側に光源光を反射する反射シートと、上記発光面構成部材の後方に配置されて、この発光面構成部材側への光源光の通過を許容する前方開口部を備えた枠体とを有し、この枠体の後方開口部を塞ぐように反射シートを当該枠体に取り付け支持させるものであればよく、平面状の照明光を発光する照明器具、その他の装置の光源に適用することができる。また、上記冷陰極管からなる直管状の線状光源に代えて、Ｕ字状等の非直管状の線状光源やボール状の発光部分を有する点状光源を用いることもできる。
【００３３】
また、上記の説明では、四辺一体構造の枠体を用いた場合について説明したが、本発明の枠体はこれに限定されるものではなく、例えば枠状四辺の各辺部分を別個に構成して、これらの各辺部分を繋ぎ合わせた枠体を使用することもできる。また、例えば一つの上記短辺枠部の途中部分が切り欠かれた略Ｃ字状の平面を有する枠体を用いることもできる。但し、上記のように一体構成の枠体を用いる場合の方が、剛性及び（支持）強度を容易に向上させることができ、しかも枠状に組み立てる必要がない点で好ましく、特に上記樹脂を用いて枠体を構成するときには、射出成型などにより当該枠体を簡単に製作できる点でより好ましい。
【００３４】
また、上記の説明では、反射シートの長辺方向側にのみ、傾斜側面及び折り返し側面を設け、折り返し側面を枠体に固定した構成について説明したが、本発明の反射シートは、平坦な前面と、この前面に対して傾斜した傾斜側面とを有し、この傾斜側面を枠体に固定するものであればよく、折り返し側面の代わりに、例えば前面に垂直な垂直面を傾斜側面に連続的に形成して、この垂直面を枠体に固定してもよい。また、短辺方向側にも、傾斜側面を形成し、一端部側が開口した有底箱状の反射シートを使用することもできる。
【図面の簡単な説明】
【００３５】
【図１】本発明の一実施形態に係る発光装置の要部構成例を示す平面図である。
【図２】図１のII−II線拡大断面図である。
【図３】図１のIII−III線拡大断面図である。
【図４】図１に示した枠体の斜視図である。
【図５】図１に示した液晶パネル側に設置される光学シートの平面図である。
【符号の説明】
【００３６】
１    発光装置
２    フロントフレーム
２ｃ    開口部
３    枠体
３ａ    前方開口部
３ｂ    後方開口部
３１ａ、３２ａ    前面
３２ｅ    ランプ取付孔（光源支持部）
３２ｆ    溝（支持部）
４    発光面構成部材
４１    レンズシート（光学シート）
４１ａ、４１ｂ    孔
４２    拡散シート（光学シート）
４２ａ、４２ｂ    孔
５    反射シート
５ａ    前面
５ｂ    傾斜側面
５ｃ    折り返し側面（上方部分）
６ａ、６ｂ    凸部
ＥＰ    液晶パネル
Ｌ    ランプ（線状光源）
【図１】
2005347005.tif 000003
【図２】
2005347005.tif 000004
【図３】
2005347005.tif 000005
【図４】
2005347005.tif 000006
【図５】
2005347005.tif 000007